(57)【特許請求の範囲】
【請求項１】
もちつき機のホッパの上方開口部を蓋するホッパ蓋を使用時に正方向に載置し、収納時に逆方向に載置するもちつき機のホッパ蓋構造において、前記ホッパ蓋の外周縁に突片を設け、前記ホッパの開口縁に前記ホッパ蓋の突片が正方向及び逆方向の両方において係止する係止部を設けたことを特徴とするもちつき機のホッパ蓋構造。
【請求項２】
前記ホッパの開口縁に形成した段部に、前記ホッパ蓋を正方向に載置したときに前記ホッパ蓋の外周縁部の下端が載置され、前記ホッパ蓋を逆方向に載置したときに前記ホッパ蓋の外周縁部の肩部が載置されるようにし、
前記突片の上面から前記ホッパ蓋の外周縁部の下端までの高さＨ１は、前記突片の下面から前記外周縁部の肩部までの高さＨ２とほぼ等しく形成され、これらの高さは前記ホッパの段部から係止部の下面までの高さＨとほぼ等しくなっていることを特徴とする請求項１に記載のホッパ蓋構造。
【請求項３】
前記ホッパの係止部を前記ホッパの開口縁に取り付けられた取手に設けたことを特徴とする請求項１又は２に記載のもちつき機のホッパ蓋構造。
【請求項４】
前記ホッパの取手の係止部に凹部を設け、前記ホッパ蓋の突片の上面および下面に前記係止部の凹部に係合する凸部を形成したことを特徴とする請求項３に記載のもちつき機のホッパ蓋構造。
【請求項５】
前記ホッパの取手の係止部に、前記ホッパ蓋の突片の一端が当接する突起を形成したことを特徴とする請求項４に記載のもちつき機のホッパ蓋構造。
【請求項６】
前記ホッパの取手の係止部に波形の凹凸を設け、前記ホッパ蓋の突片の上面および下面に前記係止部の凹凸に係合する凸部を形成したことを特徴とする請求項３に記載のもちつき機のホッパ蓋構造。
【発明の詳細な説明】
【０００１】
【発明の属する技術分野】
本発明は家庭用のもちつき機のホッパ蓋構造に関する。
【０００２】
【従来の技術】
従来のもちつき機は、もち米を入れて蒸した後、該蒸したもち米をこねるためにホッパを有している。このホッパの上方開口部はホッパ蓋で蓋されるが、ホッパ蓋の中央の摘み部が上方に突出して収納の邪魔になるので、一般に収納時にはホッパ蓋を逆向きにして載置するようになっている。
【０００３】
【発明が解決しようとする課題】
しかしながら、収納時には計量カップ、蒸し台、羽根等の種々の付属品をホッパに収容してからホッパ蓋を逆向きに蓋するので、ホッパ蓋が固定されていないと、もちつき機の運搬時にホッパ蓋が外れて内部の付属品が飛び出すという問題があった。この問題は、使用後の収納時だけでなく、もちつき機本体の製造後の輸送時にも生じる。このため、梱包時に逆向きに閉じたホッパ蓋を押えるための梱包部材が必要であった。さらに、もちつき機の運転中にもちをこねるときの振動によりホッパ蓋がガタ付くという問題があった。
【０００４】
本発明はかかる問題点に鑑みてなされたもので、製造後の輸送時、収納後の持ち運び時等にホッパ蓋が外れないもちつき機のホッパ蓋構造を提供することを課題とする。また、使用時にホッパ蓋がガタつかないもちつき機のホッパ蓋構造を提供することを課題とする。
【０００５】
【課題を解決するための手段】
前記課題を解決するために、本発明は、  もちつき機のホッパの上方開口部を蓋するホッパ蓋を使用時に正方向に載置し、収納時に逆方向に載置するもちつき機のホッパ蓋構造において、前記ホッパ蓋の外周縁に突片を設け、前記ホッパの開口縁に前記ホッパ蓋の突片が正方向及び逆方向の両方において係止する係止部を設けたものである。
【０００６】
この発明の構成によれば、収納時にホッパ蓋を逆方向に載置してホッパ蓋の突片をホッパの係止部に係止することで、製造後の輸送時、収納後の持ち運び時等にホッパ蓋が外れなくなる。
【０００７】
前記ホッパの係止部は、前記ホッパの開口縁に取り付けられた取手に設けることが好ましい。このように別部材である取手に係止部を設けることは、ホッパ自体に設けるよりも製造が簡単になる。使用時には、もちをこねるときの振動によりホッパ蓋がガタ付かない。
【０００８】
前記ホッパの取手の係止部に凹部を設け、前記ホッパ蓋の突片の上面および下面に前記係止部の凹部に係合する凸部を形成することが、確実の位置決め出きる点で好ましい。また、この場合、前記ホッパの取手の係止部に、前記ホッパ蓋の突片の一端が当接する突起を形成すると、前記ホッパ蓋の突部が前記係止部の凹部を通り過ぎるのを防止することができる。
【０００９】
前記ホッパの取手の係止部に波形の凹凸を設け、前記ホッパ蓋の突片の上面および下面に前記係止部の凹凸に係合する凸部を形成することができる。これにより、使用時にもちをこねるときの振動によるホッパ蓋のガタ付きがさらに防止される。
【００１０】
【発明の実施の形態】
以下、本発明の実施の形態を添付図面に従って説明する。
【００１１】
図１は、本発明にかかる本体蓋構造を備えたもちつき機を示す。このもちつき機は、本体１と、該本体１の上面の開口部２を蓋する略矩形の本体蓋３とからなっている。
【００１２】
本体１は、矩形箱状の外装体４からなり、該外装体４の内部に、モータ５と、底にヒータ６を備えた加熱槽７と、該加熱槽７の底を貫通して立設された羽根軸８と、前記モータ５の出力軸９に設けられたプーリ１０と前記羽根軸８に設けられたプーリ１１との間に掛設されてモータ５の回転力を羽根軸８に伝達する伝動ベルト１２と、前記加熱槽７の上端から外装体４の開口部２の縁まで延びる内胴１３とが設けられている。
【００１３】
前記内胴１３の内部には、ホッパ１４が着脱可能に収容されて前記加熱槽７の上端に載置されている。ホッパ１４の底には通気孔１５が形成されている。また、ホッパ１４の底から突出する前記羽根軸８の上端には羽根１６が着脱可能に取り付けられている。
【００１４】
ホッパ１４の上端開口縁には、図３に示すように、後述するホッパ蓋２３が載置される段部１７が形成されている。また、ホッパ１４の上端開口縁の対向する２箇所には、図２，図３に示すように、金具１８を介して取手１９が取り付けられている。各取手１９には、矩形板状の係止部２０が内方に向かって突設されている。この係止部２０の下面は、前記ホッパ１４の段部１７から高さＨの所に位置している。また、図４に示すように、係止部２０の下面の周方向の一端部（ホッパ蓋２３のしめる方向において上流側の端部）には、凹部２１が形成され、他端部（ホッパ蓋２３のしめる方向において下流側の端部）には突起２２が形成されている。
【００１５】
前記ホッパ１４の上端開口部はホッパ蓋２３で蓋されている。ホッパ蓋２３の上面には、図２に示すように、中央には環状のつまみ部２４が突設され、該つまみ部２４の周囲に「しめる」方向と「はずす」方向の矢印が表示されるとともに、複数の通気孔２５が形成されている。ホッパ蓋２３の外周には、図３（Ａ）に示すように、下方に延びる外周縁部２６が形成されている。
【００１６】
前記ホッパ蓋２３の外周縁部２６の外面の１８０°離れた２箇所には、矩形板状の突片２７が突設されている。図３（Ｂ）に示すように、この突片２７の上面から外周縁部２６の下端までの高さＨ１は、突片２７の下面から外周縁部２６の肩部２８までの高さＨ２とほぼ等しく形成され、これらの高さは前記ホッパ１４の段部１７から係止部２０の下面までの高さＨとほぼ等しくなっている。この突片２７には、周方向の一端部（ホッパ蓋２３のしめる方向において上流側の端部）に上向きの凸部２９ａ、他端部（ホッパ蓋２３のしめる方向において下流側の端部）に下向きの凸部２９ｂが形成されている。
【００１７】
外装体４の上面の前側には、図１に示すように、横方向に延びる凹部３０が形成され、該凹部３０にのし棒３１が収容されている。外装体４の前面側上部に傾斜面３２が形成され、該傾斜面３２に操作表示パネル３３が設けられている。
【００１８】
本体蓋３は、本体１の開口部２を蓋する本来の役割のほか、裏返して、その上に出来上がったもちを載せてのし棒３１でのばすのに使用される。このため、本体蓋３は矩形で、ほぼ平坦な面を有するとともに、外周縁３４を有している。外周縁３４の前面側は、前記本体１の傾斜面３２に合わせて傾斜している。
【００１９】
以上の構成からなるもちつき機では、加熱槽７に水を入れて沸騰させ、ホッパ１４に入れたもち米を蒸す。次に、モータ５を駆動し羽根１６を一定時間回転させて蒸し上がったもち米をこねると、もちが形成される。
【００２０】
使用時、ホッパ蓋２３をホッパ１４の段部１７に載置して「しめる」方向に回動して、ホッパ蓋２３の突片２７をホッパ１４の取手１９の係止部２０に係止させて閉じておく。このとき、図４に示すように、ホッパ蓋２３の突片２７の周方向端部が係止部２０の突起２２に当接するので、回動し過ぎることはない。また、ホッパ蓋２３の凸部２９ａがホッパ１４の取手１９の係止部２０の凹部２１に係合して確実に位置決めされ固定される。このため、こね時の振動により、ホッパ蓋２３がガタ付くのが防止される。
【００２１】
もちの製造が終わってホッパ１４やホッパ蓋２３、羽根１６を洗浄した後、ホッパ１４内に羽根１６や計量カップ、蒸し台等の付属品を収容する。そして、図３（Ｃ）に示すように、ホッパ蓋２３を逆向きにして「しめる」方向と同じ方向に回動して、ホッパ蓋２３の突片２７をホッパ１４の取手１９の係止部２０に係止させて閉じておく。このとき、使用時と同様に、図４に示すように、ホッパ蓋２３の突片２７の周方向端部が係止部２０の突起２２に当接するので、回動し過ぎることはない。また、ホッパ蓋２３の凸部２９ｂがホッパ１４の取手１９の係止部２０の凹部２１に係合して確実に位置決めされ固定される。このため、収納後の持ち運び時等にホッパ蓋２３が外れなくなる。
【００２２】
なお、もちつき機の製造後の梱包時においても、付属品をホッパ１４内に収容した後、ホッパ蓋２３を逆向きにして「しめる」方向と同じ方向に回動して、ホッパ蓋２３の突片２７をホッパ１４の取手１９の係止部２０に係止させて閉じておく。これにより、輸送中にホッパ蓋２３が外れて付属品が飛び出すのが防止されるので、ホッパ蓋２３を梱包部材で押える必要がなくなり、梱包作業が簡単になる。
【００２３】
図５は、前記実施形態の変形例を示す。この変形例では、ホッパ蓋２３の突片２７の中央部の上面および下面に凸部３５ａ，３５ｂが形成されている。また、図６に示すように、ホッパ１４の取手１９の係止部２０に波型の凹凸３６が形成されている。このため、ホッパ蓋２３を正方向に閉じて回動させる際に、ホッパ蓋２３の突片２７の凸部３５ａがホッパ１４の係止部２０の凹凸３６に係止するため、特に運転時にもちをこねる時のホッパ蓋２３のガタ付きをより確実に防止することができる。なお、この変形例においても、梱包時や収納時にホッパ蓋２３を逆方向に閉じて回動させる際に、ホッパ蓋２３の突片２７の凸部３５ｂがホッパ１４の係止部２０の凹凸３６に係止して確実に位置決めされ固定される。このため、輸送や持ち運び時等にホッパ蓋２３が外れなくなる。
【００２４】
なお、前記実施形態におけるホッパ蓋２３の突片２７の凸部２９ａ，ｂやホッパ１４の取手１９の係止部２０の凹部２１の形状、および前記変形例におけるホッパ蓋２３の突片２７の凸部３５ａ，ｂやホッパ１４の取手１９の係止部２０の凹凸３６の形状は、これらに限るものではなく、他の任意の形状を採用することができる。
【００２５】
【発明の効果】
以上の説明から明らかなように、本発明によれば、ホッパ蓋の外周縁に突片を設け、ホッパの開口縁にホッパ蓋の突片が正方向及び逆方向の両方において係止する係止部を設けたので、製造後の輸送時、収納後の持ち運び時等にホッパ蓋が外れなくなり、ホッパ内部に収容した付属品が飛び出すこともなくなる。また、製造後の梱包時にホッパ蓋を押える作業や梱包部材が無くなり、梱包が簡単になる。さらに、もちをこねるときの振動によりホッパ蓋がガタ付かず、騒音を防止することができる。
【図面の簡単な説明】
【図１】  本発明にかかるホッパ蓋構造を備えたもちつき機の断面図。
【図２】  ホッパ蓋の平面図。
【図３】  （Ａ）は使用時のホッパ蓋の部分拡大断面図、（Ｂ）はホッパ蓋の突片の寸法関係を示す断面図、（Ｃ）は収納時のホッパ蓋の部分拡大断面図である。
【図４】  図３（Ａ）Ｉ−Ｉ線断面図。
【図５】  ホッパ蓋の変形例を示す斜視図。
【図６】  図５のホッパ蓋の突片とホッパの取手の係止部との係止状態を示す斜視図。
【図７】  図６のホッパ蓋の突片とホッパの取手の係止部との係止状態を示す断面図。
【符号の説明】
１４  ホッパ
１９  取手
２０  係止部
２１  凹部
２２  突起
２３  ホッパ蓋
２７  突片
２９ａ，ｂ  凸部
３５ａ，ｂ  凸部
３６  凹凸
【図１】
0003891794.tif 000002
【図２】
0003891794.tif 000003
【図３】
0003891794.tif 000004
【図４】
0003891794.tif 000005
【図５】
0003891794.tif 000006
【図６】
0003891794.tif 000007
【図７】
0003891794.tif 000008